(57)【要約】【課題】暗闇でも被写体を識別することができ、識別した被写体にフレーミング可能なデジタルカメラ、及びこのようなデジタルカメラにおけるファインダ表示方法を提供すること。【解決手段】スルー画用の測光、ホワイトバランス検出を行い（ステップＳ１）、得られた画像信号を記憶しておく（ステップＳ２）。次に、低照度フレーミングボタンが押されているか否かを判定し（ステップＳ３）、低照度フレーミングボタンが押されている場合には、低照度フレーミング用の画像処理を行って（ステップＳ４）、画像の２値化を行い、この２値化した画像に基づいてＬＣＤへの表示を行う（ステップＳ５）。【選択図】図３
2005318100.tif 000002
【特許請求の範囲】
【請求項１】
撮影レンズと、
この撮影レンズの結像面上に配置され、光電変換により画像信号を得る撮像手段と、
この撮像手段で得られた画像信号に所定のゲインをかけるアンプ手段と、
このアンプ手段からの出力信号をデジタル変換して画像データを得るデジタル変換手段と、
このデジタル変換手段によって得られた画像データを一時記憶する一時記憶手段と、
この一時記憶手段に一時記憶された画像データを読み出して画像処理する画像処理手段と、
この画像処理手段によって画像処理された画像データに基づいて、撮影時の撮影画角を決定するための表示を行う表示手段と、
を具備し、
前記画像処理手段は、
前記一時記憶手段から読み出した画像データの各画素の輝度レベルに応じたスレッシュ値を算出するスレッシュ算出手段と、
このスレッシュ算出手段で算出したスレッシュ値に応じて前記一時記憶手段から読み出した画像データを２値化する画像変更手段と、
を有することを特徴とするデジタルカメラ。
【請求項２】
前記画像処理手段は、ガンマ補正手段を含み、前記画像変更手段による２値化は、前記ガンマ補正手段の設定を変更することで行うことを特徴とする請求項１に記載のデジタルカメラ。
【請求項３】
前記スレッシュ算出手段は、前記一時記憶手段から読み出した画像データの各画素の輝度レベルの平均値を求め、この求めた平均値から前記スレッシュ値を算出することを特徴とする請求項１に記載のデジタルカメラ。
【請求項４】
前記スレッシュ算出手段は、前記一時記憶手段から読み出した画像データの各画素の輝度レベルのヒストグラムを検出し、この検出したヒストグラムの中央値を求め、この求めた中央値から前記スレッシュ値を算出することを特徴とする請求項１に記載のデジタルカメラ。
【請求項５】
前記デジタル変換手段から出力される前記画像データから、前記アンプ手段のゲインと前記撮像手段への露出時間設定値とを算出する露出算出手段と、
この露出算出手段によって算出された前記ゲインと前記露出時間設定値とを、前記アンプ手段と前記撮像手段にそれぞれ反映させる自動露出制御手段と、
を更に具備し、
前記画像変更手段は、前記露出算出手段の結果から、前記デジタル変換手段から出力される前記画像データが所定の明るさ以下であると判定された場合に動作することを特徴とする請求項１に記載のデジタルカメラ。
【請求項６】
前記画像変更手段による２値化動作を開始させるための操作部材を更に具備し、
前記画像変更手段による２値化動作は、前記操作部材が操作された場合にのみ動作することを特徴とする請求項１に記載のデジタルカメラ。
【請求項７】
撮影を開始するための撮影開始用操作部材を更に具備し、
前記画像変更手段は、前記撮影開始用操作部材が操作されるのに応じて動作することを特徴とする請求項１に記載のデジタルカメラ。
【請求項８】
前記撮影レンズのフォーカスを合わせる動作を行うオートフォーカス手段を更に具備し、
前記画像変更手段が動作しているときには、該画像変換手段で２値化された画像データを利用して前記オートフォーカス手段による前記撮影レンズのフォーカス合わせを行うことを特徴とする請求項７に記載のデジタルカメラ。
【請求項９】
前記デジタル変換手段から出力される前記画像データに基づいて第１のホワイトバランスゲインを検出するホワイトバランス検出手段を更に具備し、
前記ホワイトバランス検出手段は、前記撮影開始用操作部材が操作されて撮影が開始された後、前記画像変更手段が動作していたか否かを判定し、前記画像変更手段が動作していた場合に、撮影終了後に前記デジタル変換手段から出力される前記画像データに基づいて第２のホワイトバランスゲインを検出することを特徴とする請求項７に記載のデジタルカメラ。
【請求項１０】
光電変換により画像信号を得る撮像工程と、
この撮像工程において得られた画像信号に所定のゲインをかける増幅工程と、
この増幅工程において増幅された画像信号をデジタル変換するデジタル変換工程と、
このデジタル変換工程において得られた画像データを一時記憶する一時記憶工程と、
この一時記憶工程において一時記憶した画像データを読み出し、読み出した画像データの各画素の輝度レベルに応じたスレッシュ値を算出するスレッシュ算出工程と、
このスレッシュ算出工程で算出したスレッシュ値に応じて前記一時記憶工程において読み出した画像データの２値化する画像変更工程と、
この画像変更工程によって２値化された画像データに基づいて、撮影時の撮影画角を決定するための表示を行う表示工程と、
を有し、
前記画像変更工程における２値化は、ガンマ補正の設定を変更することで行うことを特徴とするファインダ表示方法。
【発明の詳細な説明】
【技術分野】
【０００１】
本発明は、デジタルカメラ及びファインダ表示方法に関し、特に暗所の撮影時においても被写体を識別することができるデジタルカメラ及びファインダ表示方法に関する。
【背景技術】
【０００２】
デジタルカメラにおいては、撮像素子で取得した画像データを利用してファインダ表示を行う、所謂電子ビューファインダ（ＥＶＦ）という機能を有するものが存在する。このような電子ビューファインダの表示手法として、例えば、特許文献１で提案されているような技術がある。この特許文献１の提案は、環境光を検知して、検知した環境光に応じて電子ビューファインダの表示特性を最適化するものである。
【０００３】
一方、夜間などの低照度下における撮影を可能としたデジタルカメラとして、例えば特許文献２において提案されているものがある。この特許文献２の技術は、赤外光をカットする赤外カットフィルタを撮影光路上から進退可能な構成としておき、夜間など被写体が暗い場合には、それを検知して赤外カットフィルタを撮影光路上から退避させることで、赤外撮影を行うようにしたものである。
【特許文献１】特開２００１−３０９２１１号公報
【特許文献２】特開２００２−１６８３８号公報
【発明の開示】
【発明が解決しようとする課題】
【０００４】
しかしながら、特許文献１の技術は、環境光を検知してその表示特性を変化させるだけであり、暗闇では電子ビューファインダ上で画像を視認できない。また、特許文献２の技術は、夜間等において撮影を行う技術に関する提案であり、暗所におけるファインダ表示については言及されていない。また、星など放射した赤外線が届かない被写体をフレーミングしたりファインダで確認したりすることが困難である。
【０００５】
本発明は、上記の事情に鑑みてなされたもので、暗闇でも被写体を識別することができ、識別した被写体にフレーミング可能なデジタルカメラ、及びこのようなデジタルカメラにおけるファインダ表示方法を提供することを目的とする。
【課題を解決するための手段】
【０００６】
上記の目的を達成するために、本発明の第１の態様によるデジタルカメラは、撮影レンズと、この撮影レンズの結像面上に配置され、光電変換により画像信号を得る撮像手段と、この撮像手段で得られた画像信号に所定のゲインをかけるアンプ手段と、このアンプ手段からの出力信号をデジタル変換して画像データを得るデジタル変換手段と、このデジタル変換手段によって得られた画像データを一時記憶する一時記憶手段と、この一時記憶手段に一時記憶された画像データを読み出して画像処理する画像処理手段と、この画像処理手段によって画像処理された画像データに基づいて、撮影時の撮影画角を決定するための表示を行う表示手段とを具備し、前記画像処理手段は、前記一時記憶手段から読み出した画像データの各画素の輝度レベルに応じたスレッシュ値を算出するスレッシュ算出手段と、このスレッシュ決定手段で算出したスレッシュ値に応じて前記一時記憶手段から読み出した画像データを２値化する画像変更手段とを有することを特徴とする。
【０００７】
この第１の態様によれば、一時記憶手段から読み出した画像データの輝度レベルに応じた２値化画像を生成することにより、暗闇でも被写体を識別することができるような画像を生成できる。
【０００８】
上記の目的を達成するために、本発明の第２の態様によるファインダ表示方法は、光電変換により画像信号を得る撮像工程と、この撮像工程において得られた画像信号に所定のゲインをかける増幅工程と、この増幅工程において増幅された画像信号をデジタル変換するデジタル変換工程と、このデジタル変換工程において得られた画像データを一時記憶する一時記憶工程と、この一時記憶工程において一時記憶した画像データを読み出し、読み出した画像データの各画素の輝度レベルに応じたスレッシュ値を算出するスレッシュ算出工程と、このスレッシュ算出工程で算出したスレッシュ値に応じて前記一時記憶工程において読み出した画像データの２値化する画像変更工程と、この画像変更工程によって２値化された画像データに基づいて、撮影時の撮影画角を決定するための表示を行う表示工程とを有し、前記画像変更工程における２値化は、ガンマ補正の設定を変更することで行うことを特徴とする。
【０００９】
この第２の態様によれば、一時記憶工程において読み出した画像データの輝度レベルに応じた２値化画像を生成することにより、暗闇でも被写体を識別することができるような画像を生成できる。
【発明の効果】
【００１０】
本発明によれば、暗闇でも被写体を識別することができ、識別した被写体にフレーミング可能なデジタルカメラ、及びこのようなデジタルカメラにおけるファインダ表示方法を提供することができる。
【発明を実施するための最良の形態】
【００１１】
以下、図面を参照して本発明の実施形態を説明する。  
［第１の実施形態］
まず、本発明の第１の実施形態について説明する。図１は、本発明の第１の実施形態に係るデジタルカメラ（以下、カメラと称する）の構成を示すブロック図である。このカメラは、電子ビューファインダ表示用のスルー画表示が可能なように構成されているものである。
【００１２】
撮影レンズ１は、図示しない被写体からの光束を所定の結像面上に結像させる。絞り２は、撮影レンズ１の光軸上に配置され、撮影レンズ１を介して入射した光束の入射光量を調節する。撮像手段としてのＣＣＤ３は、撮影レンズ１の結像面上に配置され、入射光束を光電変換することにより画像信号を得る。タイミングジェネレータ（ＴＧ）４は、ＣＣＤ３で得られた画像信号の読み出しタイミング（撮影フレームレート）を制御する。
【００１３】
アンプ手段としてのアンプ５は、ＣＣＤ３から読み出された画像信号を所定のゲインで増幅する。デジタル変換手段としてのアナログ/デジタル（Ａ/Ｄ）変換回路６は、アンプ５からの出力画像信号をデジタル変換して画像データを得る。画像処理手段としてのカメラ信号処理回路７は、Ａ/Ｄ変換回路６の出力画像データに基づいて、詳細は後で述べる画像処理を行う。ＡＥ，ＡＦ，ＡＷＢ回路８は、Ａ/Ｄ変換回路６の出力画像データに基づいて、ＡＥ（露出）検出、ＡＦ（合焦）検出、及びＡＷＢ（ホワイトバランス検出）を行う。
【００１４】
露出算出手段、自動露出制御手段、オートフォーカス手段、及びホワイトバランス検出手段の機能を有するＣＰＵ９は、本カメラの全制御を司る制御部であり、ＡＥ，ＡＦ，ＡＷＢ回路８で得られた結果に基づいて、ＡＥ演算、ＡＦ演算、及びホワイトバランスゲイン算出などの処理を行う。更に、ＣＰＵ９は、ＡＥ演算の結果に従って絞り２の駆動制御やＴＧ４の駆動制御を行ったり、ＡＦ演算の結果に従って撮影レンズ１のフォーカス制御を行ったりもする。
【００１５】
バス１０は、Ａ/Ｄ変換回路６の出力画像データやカメラ信号処理回路７において画像処理された後の画像データなどの他、各種データを転送するためのデータ転送路である。このバス１０には、カメラ信号処理回路７、ＣＰＵ９、ＪＰＥＧ処理回路１１、メモリコントローラ１２、表示回路１４、メモリカードインターフェイス（Ｉ/Ｆ）１６、ＰＣインターフェイス（Ｉ/Ｆ）１８が接続されている。
【００１６】
ＪＰＥＧ処理回路１１は、カメラ信号処理回路７において処理された画像データのＪＰＥＧ圧縮処理及びＪＰＥＧ圧縮された画像データの伸長処理を行う回路である。メモリコントローラ１２は、一時記憶手段としてのＤＲＡＭ１３へのデータの記憶制御を行う回路である。表示回路１４は、表示手段としてのＬＣＤ１５にスルー画を表示させる際の制御や撮影画像を表示させる際の制御を行う回路である。メモリカードＩ/Ｆ１６は、本カメラに対して着脱自在に構成されたメモリカード１７に画像ファイル等を記憶する際の記憶制御を行う回路である。ＰＣＩ/Ｆ１８は、本デジタルカメラと本デジタルカメラ外部のＰＣ１９との通信を仲介するための回路である。
【００１７】
ストロボ２０は、夜間などの低照度時に被写体を照明するためのものであり、光源とその光源駆動回路から構成されている。
【００１８】
入力キー２１は、スルー画表示のオン/オフを切り換えるためのボタン、詳細は後述する低照度フレーミングボタン、撮影を開始するための操作部材であるレリーズボタン等が含まれる操作キー群である。
【００１９】
ここで、第１の実施形態では、ＡＥ，ＡＦ，ＡＷＢ回路８により、低照度環境であることが検出された場合には、電子ビューファインダ表示用のスルー画表示（以下、単にスルー画表示と称する）で表示される画像を見やすくするための処理を行う。このための処理について説明する。
【００２０】
一般に、スルー画等の動画表示時には画像処理の時間を短縮するなどの理由で、図２のようにＣＣＤの各画素で生成された画像信号の一部を間引いて読み出しが行われる。図２は、１２ライン中の２ラインの画像信号を読み出す例について図示している。ここで、本一実施形態では、夜間等の低照度環境下においては、間引いて読み出した画像信号の同一色成分を加算して出力するようにする。このようなライン加算処理を行うことにより、ＣＣＤ３からの出力は、通常読み出し時の２倍の出力となる。また、動画表示なのでこのようなライン加算処理を行っても画質にはそれほど影響がない。
【００２１】
また、低照度撮影時には、ＣＣＤ３の撮影フレームレートを遅くすることで露出時間を長くするようにする。しかしながら、ＣＣＤ３の撮影フレームレートを遅くしすぎるとスルー画の動きが離散的になってしまう。第１の実施形態では、スルー画の動きが離散的にならない程度に撮影フレームレートを１５フレーム/ｓｅｃまで遅くする。
【００２２】
更に、低照度撮影時には、アンプ５のゲインを通常よりも高くするようにして画像信号出力を大きくする。しかしながら、ゲインを高くしすぎると、画像に横縞等の不具合が発生する場合があり、またノイズ成分も大きくなるのでＡＦなども困難になる。そこで、第１の実施形態では、ゲインを８倍程度にする。
【００２３】
以上説明した３つの処理により、通常よりも低照度でも適正露出で画像が表示される。ここで、カメラの標準ＩＳＯ感度をＩＳＯ１００、開放絞りをＦ２．８とすると、被写体の輝度（Ｂｖ値）は、アペックス演算の関係式
Ｂｖ＝Ｔｖ＋Ａｖ−Ｓｖ
を用いて算出することができる。ここで、Ｔｖ＝４（１/１５ｓ）、Ａｖ＝３（Ｆ２．８）、Ｓｖ＝８（ＩＳＯ８００）であるから、
Ｂｖ＝−１
となる。即ち、上記した３つの処理を行ってもＢｖ＝−１程度の明るさまでしか適正露出で画像表示を行うことができず、それよりも低照度の場合には、適正な状態でスルー画表示を行うことができない。そこで、第１の実施形態では、以下に説明するような処理を行うことで、Ｂｖ＝−１よりも低照度の環境下でもフレーミング（撮影画角の決定）が行えるようなデジタルカメラを提供する。
【００２４】
図３は、第１の実施形態におけるスルー画表示を行う際の処理について示すフローチャートである。
【００２５】
カメラの電源がオンされた場合等で図３の処理が開始される。まず、ＣＰＵ９は、ＡＥ，ＡＦ，ＡＷＢ回路８によってスルー画用のＡＥ検出及びＡＷＢ検出を行い、これらに基づいてスルー画用の露出を開始して（ステップＳ１  撮像工程）、Ａ/Ｄ変換回路６からの出力画像信号をＤＲＡＭ１３に記憶させる（ステップＳ２  増幅工程、デジタル変換工程、一時記憶工程）。
【００２６】
次に、ＣＰＵ９は、入力キー２１の低照度フレーミングボタンが押されているか否かを判定する（ステップＳ３）。ステップＳ３において、低照度フレーミングボタンが押されている場合には、ステップＳ３をステップＳ４に分岐してカメラ信号処理回路７に低照度フレーミング用の画像処理を行わせる（ステップＳ４）。一方、ステップＳ３において、低照度フレーミングボタンが押されていない場合には、ステップＳ３をステップＳ５に分岐してカメラ信号処理回路７にスルー画表示用の通常の画像処理を行わせる（ステップＳ５）。これらの画像処理については、後で説明する。カメラ信号処理回路７において何れかの画像処理が行われた後、得られた画像データに基づいてＬＣＤ１５の表示を更新する（ステップＳ６  表示工程）。
【００２７】
その後、ＣＰＵ９はスルー画表示をオフするか否かを判定し（ステップＳ７）、例えばユーザによってスルー画表示のオフが指示されたなどによってスルー画表示をオフする場合には図３の処理を終了し、スルー画表示をオフしない場合には、ステップＳ１に戻る。
【００２８】
次に、図３のステップＳ５のスルー画用通常画像処理について、図４を参照して説明する。
【００２９】
スルー画用通常画像処理において、カメラ信号処理回路７は、まず、同時化処理を行い、ベイヤ配列の画像データから補間によってＲＧＢの画像データを生成する（ステップＳ１１）。次にスルー画用のホワイトバランス（ＷＢ）補正及び色補正を行い（ステップＳ１２）、更にγ補正を行う（ステップＳ１３）。
【００３０】
次に、ＲＧＢ成分の画像データを輝度成分Ｙと色成分Ｕ，Ｖとに変換し（ステップＳ１４）、変換した画像データをＬＣＤ１５の表示サイズ等に合わせてリサイズする（ステップＳ１５）。そして、図３のフローチャートに戻る。このようなスルー画用の通常画像処理を用いてＬＣＤ１５上に表示させた画像が図５のような画像である。
【００３１】
次に、図３のステップＳ４の低照度フレーミング用画像処理について図６を参照して説明する。ここで、図５と同じシーンの低照度下の状態が図７のような状態であるとする。
【００３２】
低照度フレーミング用画像処理において、カメラ信号処理回路７は、まず、同時化処理を行う（ステップＳ２１）。ここで、低照度フレーミング用画像データの画像処理においては、ベイヤ配列の画像データから輝度（Ｙ）画像データを生成する。ベイヤ配列の画像データからＹ画像を生成するには、
Ｙ＝Ｒ＋Ｇｒ＋Ｇｂ＋Ｂ
の式に基づいて行えばよい。ここで、Ｒ、Ｇｒ、Ｇｂ、Ｂはベイヤ配列の画像信号である。
【００３３】
次に、２値化スレッシュ算出処理及びγ特性変更処理を行う（ステップＳ２２  スレッシュ算出工程）。これらの処理について図８を参照して説明する。
【００３４】
２値化スレッシュ算出処理及びγ特性変更処理においては、まず図６のステップＳ２１で生成したＹ画像の、明るさ（輝度）ヒストグラムを作成する（ステップＳ３１）。図９に輝度ヒストグラムの例を示す。ここで、図９の横軸は輝度、即ちＡ/Ｄ変換回路６の出力値を示す。図９の例は出力分解能が１０ビットのＡ/Ｄ変換回路の例である。また、図９の縦軸は度数を示す。
【００３５】
次に、図９のようにして作成した輝度ヒストグラムの平均値を求め、この平均値をスレッシュ値とする（ステップＳ３２）。図９の例では平均値が４０であるとする。次に、ステップＳ３２で求めたスレッシュ値に基づいて低照度フレーミング用のγ特性を算出し、算出した低照度フレーミング用のγ特性を、カメラ信号処理回路７内の図示しないＡＳＩＣ（特定用途向けＩＣ）にセットして（ステップＳ３３）、図６のフローチャートに戻る。
【００３６】
図１０に低照度フレーミング用のγ特性について示す。低照度フレーミング用のγ特性１０２は、γ補正前の入力画素値がスレッシュ値４０を超えているか否かによってγ補正後の出力画素値を２値化する特性である。なお、図１０には比較のためにスルー画用通常画像処理時のγ特性１０１も図示している。
【００３７】
ここで、再び図６の説明に戻る。ステップＳ２２の２値化スレッシュ算出処理及びγ特性変更処理の後、低照度フレーミング用のγ特性を用いて低照度フレーミング用のγ補正を行って（ステップＳ２３  画像変更工程）、ステップＳ２１で生成したＹ画像を２値化する。次に、２値化した画像データのリサイズを行い、更に２値化した画像データの色成分Ｕ，Ｖを０にする（ステップＳ２４）。これは、ステップＳ２３の低照度フレーミング用のγ補正によって輝度の２値化が行われ、画像の色を表現できないためである。
【００３８】
ここで、スルー画用通常画像処理を用いて図７のシーンをＬＣＤ１５上に表示させた場合には、図１１（ａ）のようになる。この場合には、スルー画用のγ補正によって画像の階調補正がなされるので、図７の状態よりは明るくなるが、フレーミングなどを行うのにはまだ十分とは言えない。これに対し、低照度フレーミング用画像処理を用いて図７のシーンをＬＣＤ１５上に表示させた場合には、図１１（ｂ）のようになる。この場合には、低照度下でも２値化によって明暗がはっきりとするので、被写体を容易に識別でき、フレーミングも容易である。
【００３９】
以上説明したように、第１の実施形態によれば、ユーザによって低照度フレーミングボタンが押されている場合には、ＬＣＤ１５上に図１１（ｂ）のような画像が表示されるので、暗闇でも被写体を識別でき、フレーミングも容易である。
【００４０】
［第２の実施形態］
次に、本発明の第２の実施形態について説明する。第２の実施形態は、低照度フレーミングボタンがオンされたか否かによって低照度フレーミング用の画像処理を行うのではなく、ユーザが実際にフレーミングを行う際の被写体の明るさに応じて低照度フレーミング用の画像処理を行う例である。なお、構成については図１で説明したものと同様であるので、説明を省略する。
【００４１】
図１２は、第２の実施形態の撮影制御について示すフローチャートである。カメラの電源がオンされた場合等のスルー画を表示する状況で図１２の処理が開始される。まず、ＣＰＵ９は、ＡＥ，ＡＦ，ＡＷＢ回路８によってスルー画用のＡＥ検出及びＡＷＢ検出を行い、これらに基づいてスルー画用の露出を開始して（ステップＳ４１）、Ａ/Ｄ変換回路６からの出力画像信号をＤＲＡＭ１３に記憶させる（ステップＳ４２）。次に、カメラ信号処理回路７に、図４で説明したスルー画用通常画像処理を行わせ（ステップＳ４３）、得られた画像データに基づいてＣＰＵ９は、ＬＣＤ１５の表示を更新する（ステップＳ４４）。
【００４２】
次に、ＣＰＵ９は、１ｓｔレリーズスイッチと２ｎｄレリーズスイッチの２段スイッチで構成されるレリーズボタンの半押し操作がなされ、１ｓｔレリーズスイッチがオンされたか否かを判定する（ステップＳ４５）。ステップＳ４５において、１ｓｔレリーズスイッチがオンされていない場合には、ステップＳ４１に戻る。
【００４３】
一方、ステップＳ４５において、１ｓｔレリーズスイッチがオンされた場合には、ステップＳ４５をステップＳ４６に分岐して、ＡＥ，ＡＦ，ＡＷＢ回路８によって静止画用のＡＥ検出及びホワイトバランス（ＷＢ）検出を行う（ステップＳ４６）。次に、ＣＰＵ９は、ＡＥの結果から被写体のＢｖ値が−３よりも小さいか否かを判定する（ステップＳ４７）。ステップＳ４７の判定において、被写体のＢｖ値が−３よりも小さい場合には、被写体が暗いので、カメラ信号処理回路７に、図６で説明した低照度フレーミング用画像処理を行わせる（ステップＳ４８）。一方、ステップＳ４７の判定において、被写体のＢｖ値が−３以上の場合には、カメラ信号処理回路７に、スルー画用通常画像処理を行わせる（ステップＳ４９）。なお、ステップＳ４７の閾値−３は変更可能なことは言うまでもない。
【００４４】
次に、ＡＦを行う（ステップＳ５０）。このＡＦにおいて、ステップＳ４７で被写体が暗いと判定された場合には、ステップＳ４８において生成された低照度フレーミング用の画像データ（低照度フレーミング用のγ補正後のデータ）に基づいてＡＦ検出及びＡＦ演算を行うようにする。即ち、低照度フレーミング用に生成された画像データでは、明暗の分布が明確になっているので、ＡＦ検出が容易になる。
【００４５】
次に、ステップＳ４８又はステップＳ４９において処理された画像データに基づいてＬＣＤ１５の表示を更新する（ステップＳ５１）。次に、ＡＦ、ＡＥ、ＷＢをロックする（ステップＳ５２）。その後、２ｎｄレリーズスイッチがオンされたか否かを判定する（ステップＳ５３）。このステップＳ５３において、２ｎｄレリーズスイッチがオンされた場合には、後述する静止画撮影シーケンスの処理を行う（ステップＳ５４）。
【００４６】
一方、ステップＳ５３の判定において、２ｎｄレリーズスイッチがオンされていない場合には、１ｓｔレリーズスイッチがオンのままか否かを判定する（ステップＳ５５）。ステップＳ５５の判定において、１ｓｔレリーズスイッチがオフされた場合には、ステップＳ４１に戻る。また、ステップＳ５５の判定において、１ｓｔレリーズスイッチがオンのままである場合には、上記ステップＳ５２でロックしたＡＥ条件において露出を行う（ステップＳ５６）。その後、得られた画像信号をＤＲＡＭ１３に記憶させる（ステップＳ５７）。
【００４７】
次に、ステップＳ４８で低照度フレーミング用の画像処理を行っていたか否かを判定し（ステップＳ５８）、低照度フレーミング用の画像処理を行っていた場合には、低照度フレーミング用画像処理を再び行い（ステップＳ５９）、低照度フレーミング用の画像処理を行っていなかった場合には、スルー画用通常画像処理を再び行い（ステップＳ６０）、処理された画像データに基づいてＬＣＤ１５の表示を更新する（ステップＳ６１）。その後、ステップＳ５３に戻る。
【００４８】
次に、図１２のステップＳ５４における静止画撮影シーケンスの処理について図１３を参照して説明する。静止画撮影シーケンスにおいて、まずは図１２のステップＳ４６で検出されたＡＥ結果より算出される所定の絞り値に、絞り２を駆動制御する（ステップＳ７１）。更に、ＡＥ結果より、ストロボ２０を発光させるか否かを判定する（ステップＳ７２）。ステップＳ７２の判定において、ストロボ２０を発光させる場合には、実際の本発光の前に小光量のストロボ光を被写体に照射するプリ発光を行い、このプリ発光の結果から本発光時のストロボ２０の発光量を決定する（ステップＳ７３）。その後、ストロボ２０を発光させて露出を行う（ステップＳ７４）。一方、ステップＳ７２の判定において、ストロボ２０を発光させない場合には、ステップＳ７２からステップＳ７４に進み、ストロボ２０を発光させずに露出を行う。
【００４９】
次に、ステップＳ４８において、低照度フレーミング用画像処理を行っていたか否かを判定する（ステップＳ７５）。ステップＳ７５の判定において、低照度フレーミング用画像処理を行っていた場合には、被写体が暗いので、ストロボ２０を発光させて露出を行って得られた画像データに基づいて再びＷＢの検出を行う（ステップＳ７６）。即ち、低照度フレーミング用画像処理を行っていた場合には被写体が暗いので、図１２のステップＳ４６の静止画用ＷＢ検出によってＷＢが正しく検出できていないおそれがある。そこで、ストロボ発光後の明るい画像に基づいてＷＢを再検出するようにする。一方、ステップＳ７６の判定において低照度フレーミング用画像処理を行っていなかった場合には、ＷＢの再検出を行わずに、ステップＳ７７に移行する。
【００５０】
その後、静止画用の通常画像処理を行う（ステップＳ７７）。この処理は、図４の処理とほぼ同様の処理であるが、ステップＳ１５のリサイズ処理は行わない。次に、ステップＳ７７で処理した画像データに基づいてカード記録する画像の再生（レックビュー再生）を行う（ステップＳ７８）。次にステップＳ７７で処理した画像データをＪＰＥＧ圧縮し、更にヘッダ情報を付加して画像ファイルを生成し、この画像ファイルをメモリカード１７に記録させて（ステップＳ７９）、処理を終了する。
【００５１】
以上説明したように、第２の実施形態によれば、ユーザによって１ｓｔレリーズスイッチがオンされ、フレーミングの動作が開始されたときの被写体の明るさ条件に応じて低照度フレーミング用の画像処理が行われるので、暗闇でも被写体を識別でき、フレーミングも容易である。
【００５２】
［第３の実施形態］
次に、本発明の第３の実施形態について説明する。第３の実施形態は、１ｓｔレリーズスイッチのオン/オフに限らずに、被写体が暗い場合には低照度フレーミング用の画像処理を行う例である。なお、構成については図１で説明したものと同様であるので、説明を省略する。
【００５３】
図１４は、第３の実施形態におけるスルー画表示の手順について示すフローチャートである。カメラの電源がオンされた場合等のスルー画を表示する状況で図１４の処理が開始される。まず、ＣＰＵ９は、ＡＥ，ＡＦ，ＡＷＢ回路８によってスルー画用のＡＥ検出及びＡＷＢ検出を行い、これらに基づいてスルー画用の露出を開始して（ステップＳ８１）、Ａ/Ｄ変換回路６からの出力画像信号をＤＲＡＭ１３に記憶させる（ステップＳ８２）。
【００５４】
次に、ＣＰＵ９は、スルー画用のＡＥの結果から被写体のＢｖ値が−３よりも小さいか否かを判定する（ステップＳ８３）。ステップＳ８３の判定において、被写体のＢｖ値が−３よりも小さい場合には、被写体が暗いので、カメラ信号処理回路７に、図６で説明した低照度フレーミング用画像処理を行わせる（ステップＳ８４）。一方、ステップＳ８３の判定において、被写体のＢｖ値が−３以上の場合には、カメラ信号処理回路７に、スルー画用通常画像処理を行わせる（ステップＳ８５）。
【００５５】
次に、ステップＳ８４又はステップＳ８５において処理された画像データに基づいてＬＣＤ１５の表示を更新する（ステップＳ８６）。次に、スルー画表示をオフするか否かを判定し（ステップＳ８７）、スルー画表示をオフしない場合には、ステップＳ８１に戻る。一方、スルー画表示をオフする場合には、処理を終了する。
【００５６】
以上説明したように、第３の実施形態によれば、操作部材の操作によらず、被写体の明るさ条件に応じて低照度フレーミング用の画像処理が行われるので、暗闇でも被写体を識別でき、フレーミングも容易である。
【００５７】
以上実施形態に基づいて本発明を説明したが、本発明は上記した実施形態に限定されるものではなく、本発明の要旨の範囲内で種々の変形や応用が可能なことは勿論である。例えば、上記した各実施形態では低照度フレーミング用画像処理において、画像データの変更を行う際に、画像データを２値化するようにしているがこれに限るものではなく、カメラの仕様などに応じて画像データを３値化、４値化等、他の多値化を行うようにしても良い。
【００５８】
さらに、上記した実施形態には種々の段階の発明が含まれており、開示される複数の構成要件の適当な組合せにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成も発明として抽出され得る。
【図面の簡単な説明】
【００５９】
【図１】本発明の第１の実施形態に係るデジタルカメラの構成を示すブロック図である。
【図２】ＣＣＤのライン加算処理について説明するための図である。
【図３】本発明の第１の実施形態に係るデジタルカメラにおける電子ビューファインダ用のスルー画表示を行う際の処理について示すフローチャートである。
【図４】スルー画用通常画像処理について説明するためのフローチャートである。
【図５】スルー画用通常画像処理によって処理された画像の例を示す図である。
【図６】低照度フレーミング用画像処理について説明するためのフローチャートである。
【図７】図５と同じシーンの低照度下における状態を示す図である。
【図８】２値化スレッシュ算出及びγ特性変更処理について説明するための図である。
【図９】輝度ヒストグラムの例について示す図である。
【図１０】低照度フレーミング用画像処理におけるγ補正について示す図である。
【図１１】図１１（ａ）は図７のシーンをスルー画用通常画像処理によって処理した場合の画像の例を示す図であり、図１１（ｂ）は図７のシーンを低照度フレーミング用画像処理によって処理した場合の画像の例を示す図である。
【図１２】本発明の第２の実施形態に係るデジタルカメラにおける電子ビューファインダ用のスルー画表示を含む撮影制御について示すフローチャートである。
【図１３】静止画撮影シーケンスについて示すフローチャートである。
【図１４】本発明の第３の実施形態に係るデジタルカメラにおける電子ビューファインダ用のスルー画表示を行う際の処理について示すフローチャートである。
【符号の説明】
【００６０】
１…撮影レンズ、２…絞り、３…ＣＣＤ、４…タイミングジェネレータ（ＴＧ）、５…アンプ、６…アナログ/デジタル（Ａ/Ｄ）変換回路、７…カメラ信号処理回路、８…ＡＥ，ＡＦ，ＡＷＢ回路、９…ＣＰＵ、１０…バス、１１…ＪＰＥＧ処理回路、１２…メモリコントローラ、１３…ＤＲＡＭ、１４…表示回路、１５…ＬＣＤ、１６…メモリカードインターフェイス（Ｉ/Ｆ）、１７…メモリカード、１８…ＰＣＩ/Ｆ、１９…ＰＣ、２０…ストロボ、２１…入力キー
【図１】
2005318100.tif 000003
【図２】
2005318100.tif 000004
【図３】
2005318100.tif 000005
【図４】
2005318100.tif 000006
【図５】
2005318100.tif 000007
【図６】
2005318100.tif 000008
【図７】
2005318100.tif 000009
【図８】
2005318100.tif 000010
【図９】
2005318100.tif 000011
【図１０】
2005318100.tif 000012
【図１１】
2005318100.tif 000013
【図１２】
2005318100.tif 000014
【図１３】
2005318100.tif 000015
【図１４】
2005318100.tif 000016